(57)【要約】【課題】光源の交換時期を適切に判断することができる照明装置を提供する。【解決手段】メモリ２５は、ＬＥＤモジュール３０の各点灯状態に対応した光束維持特性（光束維持曲線を示すデータ）を記憶する。光束維持率算出部２６は、制御用マイクロコンピュータ２２の制御のもと、ＬＥＤモジュール３０の点灯状態が変わる都度、変更後の点灯状態に対応する光束維持特性及びその点灯状態での点灯時間に基づいて、ＬＥＤモジュール３０の光束維持率を算出する。すなわち、ＬＥＤモジュール３０の点灯状態に応じて異なる光束維持特性を用いて光束維持率を算出する。【選択図】図１
2010251115.tif 000002
【特許請求の範囲】
【請求項１】
光源を複数の点灯状態で点灯することができる照明装置において、
各点灯状態に対応した前記光源の光束維持特性を記憶する記憶手段と、
各点灯状態での前記光源の点灯時間を計時する計時手段と、
各点灯状態に対応する前記光束維持特性及び該点灯状態での点灯時間に基づいて前記光源の光束維持率を算出する算出手段と、
該算出手段で算出した光束維持率が所定の閾値より小さい場合、所定の情報を出力する出力手段と
を備えることを特徴とする照明装置。
【請求項２】
点灯状態が変更される場合、前記算出手段で算出した変更前の光束維持率を、変更後の点灯状態での光束維持率の初期値とすることを特徴とする請求項１に記載の照明装置。
【請求項３】
前記算出手段は、
所定時間が経過した場合、光束維持率を算出するように構成してあることを特徴とする請求項１又は請求項２に記載の照明装置。
【請求項４】
前記出力手段は、
前記光源を所定の点灯状態で点灯させて前記所定の情報を出力するように構成してあることを特徴とする請求項１から請求項３までのいずれか１項に記載の照明装置。
【請求項５】
前記所定の情報は、前記光源の交換時期を示す情報であることを特徴とする請求項１から請求項４までのいずれか１項に記載の照明装置。
【請求項６】
人感センサからの信号を取得する取得手段と、
該取得手段で取得した信号に応じて前記光源の点灯状態を切り替える切替手段と
を備えることを特徴とする請求項１から請求項５までのいずれか１項に記載の照明装置。
【発明の詳細な説明】
【技術分野】
【０００１】
本発明は、光源の交換時期を適切に判断することができる照明装置に関する。
【背景技術】
【０００２】
近年、発光ダイオード（ＬＥＤ）を光源とする照明装置が様々な用途向けに開発されており、白熱電球や蛍光灯等の従来の光源を用いた照明装置に対する置換えが行われつつある。また、光源を所望の明るさに調整することができる調光機能（省エネ機能）を備えた照明装置が既に商品化されている。
【０００３】
一方で、蛍光灯、白熱灯、ＬＥＤなどの光源を備えた照明装置では、これら光源の明るさは、点灯時間の経過に伴って低下するため、様々な工夫も行われている。例えば、異なる波長の光を出力する複数のＬＥＤを備えた照明装置において、各ＬＥＤの寿命曲線を利用して、各ＬＥＤの経時変化が同一となる電流値で各ＬＥＤを駆動することにより、簡易な構成で、経時変化による光色変化を防止することができるＬＥＤ照明装置が開示されている（特許文献１参照）。
【先行技術文献】
【特許文献】
【０００４】
【特許文献１】特開２００７−８０５３２号公報
【発明の概要】
【発明が解決しようとする課題】
【０００５】
特許文献１の照明装置では、経時変化による光色変化を防止することができるものの、経年変化による明るさ（例えば、光束）が低下した場合に、利用者はいつ光源を交換すればよいか判断することができない。また、光源の通常の点灯状態（全灯、１００％点灯など）における寿命曲線を利用したとしても、例えば、光源を通常の点灯状態だけでなく調光状態で使用した場合に、光源を交換する時期を適切に判断することはできなかった。
【０００６】
本発明は斯かる事情に鑑みてなされたものであり、光源の交換時期を適切に判断することができる照明装置を提供することを目的とする。
【課題を解決するための手段】
【０００７】
本発明に係る照明装置は、光源を複数の点灯状態で点灯することができる照明装置において、各点灯状態に対応した前記光源の光束維持特性を記憶する記憶手段と、各点灯状態での前記光源の点灯時間を計時する計時手段と、各点灯状態に対応する前記光束維持特性及び該点灯状態での点灯時間に基づいて前記光源の光束維持率を算出する算出手段と、該算出手段で算出した光束維持率が所定の閾値より小さい場合、所定の情報を出力する出力手段とを備えることを特徴とする。
【０００８】
本発明にあっては、各点灯状態に対応した光源の光束維持特性を記憶しておく。点灯状態は、例えば、１００％点灯（全灯）、省エネ点灯としての調光状態での点灯（例えば、５％点灯、３０％点灯、５０％点灯、７０％点灯など）などである。また、光束維持特性は、光源の明るさ（光束）が光源の点灯時間の経過に伴って減退するが、この光束の減退の程度が、点灯時間の経過とともに初期値のどの程度に維持されているかを示すものである。そして、各点灯状態に対応する光束維持特性及び該点灯状態での点灯時間に基づいて光源の光束維持率を算出する。すなわち、光源の点灯状態に応じて異なる光束維持特性を用いて光束維持率を算出する。算出した光束維持率が所定の閾値より小さい場合、所定の情報を出力する。例えば、光束維持率が７０％を所定の閾値とすることができ、光束維持率が７０％より小さくなった場合、光源の交換時期である旨を所定の情報として出力することができる。これにより、複数の点灯状態で点灯することができる場合に、それぞれの点灯状態に応じた光束維持特性を用いることができるので、光源の点灯状態が変化する場合でも、光源の交換時期を適切に判断することができる。また、光源の光束、光量や照度などを計測するための光学センサが不要であるので、コストを低減することができるとともに、光源として指向性の高いＬＥＤなどを用いる場合でも発光面を光学センサで遮ってしまうという問題も生じない。
【０００９】
本発明に係る照明装置は、点灯状態が変更される場合、前記算出手段で算出した変更前の光束維持率を、変更後の点灯状態での光束維持率の初期値とすることを特徴とする。
【００１０】
本発明にあっては、点灯状態が変更される場合、変更前に算出された変更前の光束維持率を、変更後の点灯状態での光束維持率の初期値とする。例えば、１００％点灯で点灯していた光源を省エネ点灯に変更する場合、点灯状態変更前の１００％点灯に対応する光束維持特性により算出した変更直前の光束維持率を、省エネ点灯での光束維持率を算出する際の初期値とする。これにより、点灯状態が変化する場合に、変化直前の点灯状態での光束維持率を変更直後の点灯状態での光束維持率とすることができるので、点灯状態に関わらず常に正確な光束維持率を求めることができる。特に、点灯状態が頻繁に変化する場合でも、その変化に追従して正確な光束維持率を求めることができるので、光源の交換時期を精度良く判定することが可能となる。
【００１１】
本発明に係る照明装置は、前記算出手段は、所定時間が経過した場合、光束維持率を算出するように構成してあることを特徴とする。
【００１２】
本発明にあっては、所定時間（例えば、１０分、１時間、３時間など）が経過した場合、光束維持率を算出する。これにより、光束維持率算出のための処理労力を低減しつつ光源の交換時期を求めることができる。
【００１３】
本発明に係る照明装置は、前記出力手段は、前記光源を所定の点灯状態で点灯させて前記所定の情報を出力するように構成してあることを特徴とする。
【００１４】
本発明にあっては、出力手段は、光源を所定の点灯状態で点灯させて所定の情報を出力する。例えば、光束維持率が閾値より小さくなった場合、光源を点滅させることにより、光源の交換時期を知らせることができる。また、光束維持率が閾値より小さくなった場合、光源の点灯状態を省エネ点灯と異なる点灯状態（例えば、光量をさらに下げた状態での点灯状態）で点灯させることもできる。これにより、光源の交換時期を知らせるための表示灯などが不要となり、コストを低減することができる。
【００１５】
本発明に係る照明装置は、前記所定の情報は、前記光源の交換時期を示す情報であることを特徴とする。
【００１６】
本発明にあっては、所定の情報は、光源の交換時期を示す情報である。これにより、光学センサなどを用いることなく、光源の交換時期を利用者に知らせることができる。
【００１７】
本発明に係る照明装置は、人感センサからの信号を取得する取得手段と、該取得手段で取得した信号に応じて前記光源の点灯状態を切り替える切替手段とを備えることを特徴とする。
【００１８】
本発明にあっては、人感センサからの信号を取得した場合、取得した信号に応じて光源の点灯状態を切り替える。例えば、人が周囲にいる場合には、１００％点灯で光源を点灯させ、人が周囲にいない場合には、省エネ点灯で光源を点灯させることができる。これにより、人感センサなどにより点灯状態が変化する場合でも、点灯状態に関わらず光束維持率を正確に求めることができる。
【発明の効果】
【００１９】
本発明によれば、光源の交換時期を適切に判断することができる。
【図面の簡単な説明】
【００２０】
【図１】本発明に係る照明装置の構成の一例を示すブロック図である。
【図２】光束維持率の算出方法の一例を示す説明図である。
【図３】制御用マイクロコンピュータの処理手順を示すフローチャートである。
【図４】制御用マイクロコンピュータの処理手順を示すフローチャートである。
【発明を実施するための形態】
【００２１】
以下、本発明をその実施の形態を示す図面に基づいて説明する。図１は本発明に係る照明装置１００の構成の一例を示すブロック図である。照明装置１００は、例えば、ＡＣ１００Ｖ又はＡＣ２００Ｖ等の商用電源に接続され、電源ユニット１０、制御ユニット２０、光源としての複数のＬＥＤモジュール３０、…などを備えている。ＬＥＤモジュール３０の個数又は仕様などは、照明装置１００の仕様、形状などに応じて適宜設定することができる。また、光源としては、ＬＥＤモジュール３０に限定されるものではなく、蛍光灯、白熱灯などの他の光源を用いる構成であってもよい。
【００２２】
電源ユニット１０は、ヒューズ１１、整流回路１２、ノイズフィルタ回路１３、スイッチング回路１４、スイッチングトランス１５、定電流供給回路１６、負荷電流電圧検出回路１７、フォトカプラ１８、保護回路１９などを備えている。
【００２３】
ヒューズ１１は、装置内部に短絡などの異常が発生した場合に、装置を保護するために所定値以上の過電流を遮断するためのものである。整流回路１２は、ＡＣ１００Ｖ又はＡＣ２００Ｖを全波整流して直流に変換する。ノイズフィルタ回路１３は、例えば、商用電源に接続された電源線を通じて照明装置１００内に侵入してくるノイズを遮断するものである。
【００２４】
スイッチング回路１４は、例えば、トランジスタ又はＦＥＴなどで構成され、所定の周波数でスイッチング動作（例えば、１対のトランジスタを交互にオン／オフさせる動作）することにより、スイッチングトランス１５に対して交番電圧を供給する。スイッチングトランス１５は、スイッチング回路１４の動作に応じて所定の電圧値に変換された交番電圧を出力する。
【００２５】
定電流供給回路１６は、整流回路、トランジスタ、演算増幅器などを備え、スイッチングトランス１５から供給される交番電圧を直流電圧（例えば、３３Ｖ）に変換するとともに、出力電流が一定になるように制御する。
【００２６】
負荷電流電圧検出回路１７は、定電流供給回路１６により供給される電流及び電圧を検出し、検出値に応じた制御信号を、フォトカプラ１８を通じて保護回路１９へ出力する。なお、フォトカプラ１８は、スイッチングトランス１５の１次側と２次側とを電気的に絶縁するためのものである。保護回路１９は、負荷電流電圧検出回路１７から入力された制御信号に応じてスイッチング回路１４のスイッチング動作を制御する。これにより、出力値をフィードバックして、一定の電流及び電圧を出力できるように構成している。
【００２７】
制御ユニット２０は、制御電源供給回路２１、ＬＥＤモジュール３０の各点灯状態の点灯時間を計時するタイマ（不図示）を内蔵するとともに、制御ユニット２０全体を制御する制御用マイクロコンピュータ２２、所定の情報（例えば、ＬＥＤモジュール３０の交換時期など）を出力する出力手段としてＰＷＭ制御回路２３、人感センサ（不図示）からの信号を取得する取得手段としての使用状態検出回路２４、ＬＥＤモジュール３０の各点灯状態に対応した光束維持特性（光束維持曲線を示すデータ）などを記憶する記憶部としてのメモリ２５、光束維持率を算出する算出手段としての光束維持率算出部２６、リモコン受光部２７などを備えている。
【００２８】
なお、光束維持特性（光束維持曲線）は、光源の明るさ（光束）が光源の点灯時間の経過に伴って低下するが、この光束の低下の程度が、点灯時間の経過とともに初期値のどの程度に維持されているかを示すものであるが、本実施の形態では、光束維持特性は、光源の寿命特性を判定することができるものであれば、光源の光量の低下、照度の低下、輝度の低下などの他の特性も含むものとする。
【００２９】
なお、ＬＥＤモジュール３０の各点灯状態としては、例えば、１００％点灯（全灯）、省エネ点灯としての調光状態での点灯（例えば、５％点灯、３０％点灯、５０％点灯、７０％点灯など）などである。
【００３０】
制御電源供給回路２１は、定電流供給回路１６から出力された直流電圧を所定の電圧（例えば、５Ｖ、３．３Ｖなど）に変換し、変換後の電圧を制御用マイクロコンピュータ２２へ供給する。
【００３１】
ＰＷＭ制御回路２３は、定電流供給回路１６から出力された直流電圧に対してパルス幅変調を行うことにより、各ＬＥＤモジュール３０に供給する電流を制御する。より詳細には、制御用マイクロコンピュータ２２は、ＬＥＤモジュール３０の各点灯状態に対応する制御信号をＰＷＭ制御回路２３に送信し、ＰＷＭ制御回路２３は、受信した制御信号に応じたＰＷＭ制御を各ＬＥＤモジュール３０に対して行う。なお、各ＬＥＤモジュール３０に対して、それぞれＰＷＭ制御回路２３、…を設ける構成でもよい。
【００３２】
リモコン受光部２７は、利用者が操作するリモコン本体（不図示）からの赤外線を受光し、リモコン本体から送信された信号を抽出し、抽出した信号を制御用マイクロコンピュータ２２へ出力する。リモコン本体から送信される信号は、例えば、光源を点灯、消灯、及び調光（例えば、７０％、５０％、３０％など）するためのものである。
【００３３】
使用状態検出回路２４は、人感センサからの信号を取得し、取得した信号を制御用マイクロコンピュータ２２へ出力する。これにより、制御用マイクロコンピュータ２２は、照明装置１００が設置された部屋に人がいるか否かを判定することができる。なお、人感センサは、照明装置１００から離れた場所に設けることもできるが、照明装置１００に設けることもできる。
【００３４】
制御用マイクロコンピュータ２２は、使用状態検出回路２４を通じて、照明装置１００の周囲に人がいると判定した場合には、リモコン受光部２７で取得したリモコンからの信号に基づいた点灯状態でＬＥＤモジュール３０を点灯させる。そして、使用状態検出回路２４を通じて、照明装置１００の周囲に人がいないと判定した場合には、所定の点灯状態へ移行する。
【００３５】
例えば、制御用マイクロコンピュータ２２は、人感センサからの信号を取得した場合、取得した信号に応じてＬＥＤモジュール３０の点灯状態を切り替える。例えば、人が周囲にいる場合には、１００％点灯でＬＥＤモジュール３０を点灯させ、人が周囲にいない場合には、省エネ点灯でＬＥＤモジュール３０を点灯させることができる。また、省エネ点灯として、点灯状態を３０％調光に移行し、移行後所定時間経過すれば、さらに５％調光に下げる等である。なお、制御用マイクロコンピュータ２２は、常に照明装置１００がどの点灯状態で点灯しているかを把握するとともに、点灯状態をメモリ２５に記憶する。
【００３６】
メモリ２５は、制御用マイクロコンピュータ２２が所定の処理を行う際に必要なデータを記憶するとともに、処理結果なども記憶する。例えば、メモリ２５は、ＬＥＤモジュール３０の各点灯状態に対応した光束維持特性（光束維持曲線を示すデータ）を記憶する。なお、ＬＥＤモジュール３０の各点灯状態は、例えば、１００％点灯（全灯）、省エネ点灯としての調光状態での点灯（例えば、５％点灯、３０％点灯、５０％点灯、７０％点灯など）などである。メモリ２５は、制御用マイクロコンピュータ２２で計時したＬＥＤモジュール３０の各点灯状態での点灯時間を記憶する。
【００３７】
光束維持率算出部２６は、各点灯状態に対応する光束維持特性及びその点灯状態での点灯時間に基づいて、ＬＥＤモジュール３０の光束維持率を算出する。例えば、点灯状態が変わる都度、変更後の点灯状態に対応する光束維持特性及びその点灯状態での点灯時間に基づいて、ＬＥＤモジュール３０の光束維持率を算出する。すなわち、ＬＥＤモジュール３０の点灯状態に応じて異なる光束維持特性を用いて光束維持率を算出する。なお、光束維持率の算出方法の詳細は後述する。
【００３８】
光束維持率算出部２６は、算出した光束維持率が所定の閾値（例えば、７０％など）より小さい場合、その旨を制御用マイクロコンピュータ２２へ出力する。この場合、制御用マイクロコンピュータ２２は、ＬＥＤモジュール３０の光束維持率が７０％より小さくなったと判定し、ＬＥＤモジュール３０の交換時期である旨を所定の情報として出力すべく交換信号をＰＷＭ制御回路２３へ出力する。
【００３９】
ＰＷＭ制御回路２３は、制御用マイクロコンピュータ２２から交換信号を取得した場合、ＬＥＤモジュール３０を点滅又は交換時期を示す点灯状態で点灯させて、ＬＥＤモジュール３０の交換時期である旨（所定の情報）を出力する。例えば、光束維持率が閾値より小さくなった場合、ＬＥＤモジュール３０を点滅させることにより、ＬＥＤモジュール３０の交換時期を知らせることができる。また、光束維持率が閾値より小さくなった場合、ＬＥＤモジュール３０の点灯状態を省エネ点灯と異なる点灯状態（例えば、光量をさらに下げた状態での点灯状態）で点灯させることもできる。これにより、ＬＥＤモジュール３０の交換時期を知らせるための表示灯などが不要となり、コストを低減することができる。なお、交換時期を知らせるための表示灯（例えば、赤色ＬＥＤなど）を用いることもできる。また、音声などにより交換時期を通知してもよい。
【００４０】
図２は光束維持率の算出方法の一例を示す説明図である。図２において横軸は時間（対数目盛）であり、縦軸は光束維持率である。光束維持率は、光源の明るさ（光束）の初期値に対する割合を示す。図２において、曲線ｇ（ｔ）は１００％点灯状態での光束維持曲線を示し、曲線ｆ（ｔ）は省エネ点灯状態での光束維持曲線を示す。光束維持曲線は、ＬＥＤモジュール３０の明るさ（光束）がＬＥＤモジュール３０の点灯時間の経過に伴って低下するが、この光束の低下の程度が、点灯時間の経過とともに初期値のどの程度に維持されているかを示すものである。
【００４１】
また、時間ｔａ１までは１００％点灯状態であり、時間ｔａ１からｔａ２までは省エネ点灯状態であり、時間ｔａ２から時間ｔａ３までは１００％点灯状態であり、時間ｔａ３以降は省エネ点灯状態であるとする。これらの点灯状態の変化は、例えば、リモコン等で利用者が変えたものとすることができる。
【００４２】
時間ｔａ１までは、光束維持率算出部２６は、１００％点灯状態に対応する光束維持特性（光束維持曲線）を用いて、光束維持率を算出し、算出した光束維持率が所定の閾値より小さいか否かを判定する。
【００４３】
時間ｔａ１において、点灯状態が１００％点灯状態から省エネ点灯状態に切り替わったので、時間ｔａ１での点灯時間（累積点灯時間）及び１００％点灯状態に対応する光束維持特性（光束維持曲線）を用いて光束維持率Ｉ１を算出する（光束維持曲線ｇ（ｔ）上の点Ｓ１での値）。そして、光束維持率算出部２６は、算出した光束維持率Ｉ１を省エネ点灯状態に対応する光束維持曲線ｆ（ｔ）に代入して、光束維持曲線ｆ（ｔ）で光束維持率がＩ１となる時間ｔｂ１を算出する（図２の点Ｓ２）。すなわち、点灯状態変更前の光束維持率Ｉ１が点灯状態変更後の光束維持率を算出する際の初期値となる。また、時間ｔａ１以降は、点灯時間をリセットして、省エネ点灯状態の点灯時間を計時する。
【００４４】
時間ｔａ１から時間ｔａ２までの間では、光束維持率算出部２６は、光束維持曲線ｆ（ｔｂ１＋ｔ）により光束維持率を算出し、算出した光束維持率が所定の閾値より小さいか否かを判定する。
【００４５】
時間ｔａ２において、点灯状態が１００％点灯状態から省エネ点灯状態に切り替わったので、時間ｔａ１〜ｔａ２で使用した光束維持曲線ｆ（ｔｂ１＋ｔ）を用いて、光束維持率Ｉ２を算出する（光束維持曲線ｆ（ｔ）上の点Ｓ３での値）。そして、光束維持率算出部２６は、算出した光束維持率Ｉ２を１００％点灯状態に対応する光束維持曲線ｇ（ｔ）に代入して、光束維持曲線ｇ（ｔ）で光束維持率がＩ２となる時間ｔｂ２を算出する（図２の点Ｓ４）。また、時間ｔａ２以降は、点灯時間をリセットして、１００％点灯状態の点灯時間を計時する。
【００４６】
時間ｔａ２から時間ｔａ３までの間では、光束維持率算出部２６は、光束維持曲線ｇ（ｔｂ２＋ｔ）により光束維持率を算出し、算出した光束維持率が所定の閾値より小さいか否かを判定する。
【００４７】
時間ｔａ３において、点灯状態が１００％点灯状態から省エネ点灯状態に切り替わったので、時間ｔａ３での点灯時間（累積点灯時間）及び１００％点灯状態に対応する光束維持特性（光束維持曲線）を用いて光束維持率Ｉ３を算出する（光束維持曲線ｇ（ｔ）上の点Ｓ５での値）。そして、光束維持率算出部２６は、算出した光束維持率Ｉ３を省エネ点灯状態に対応する光束維持曲線ｆ（ｔ）に代入して、光束維持曲線ｆ（ｔ）で光束維持率がＩ３となる時間ｔｂ３を算出する（図２の点Ｓ６）。また、時間ｔａ３以降は、点灯時間をリセットして、省エネ点灯状態の点灯時間を計時する。
【００４８】
時間ｔａ３以降、光束維持率算出部２６は、光束維持曲線ｆ（ｔｂ３＋ｔ）により光束維持率を算出し、算出した光束維持率が所定の閾値より小さいか否かを判定する。以降、同様にして光束維持率を算出する。図２の例では、算出した光束維持率が閾値（７０％）より小さくなった場合（時間ｔ４）、利用者にＬＥＤモジュール３０の交換時期を知らせるべく所定の情報を出力する。
【００４９】
なお、図２の例では、１００％点灯状態と省エネ点灯状態の２つの光束維持曲線ｇ（ｔ）、ｆ（ｔ）を用いる結果、ＬＥＤモジュール３０の見かけの光束維持曲線は、ｈ（ｔ）のように表わすことができる。
【００５０】
また、図２の例では２つの点灯状態それぞれの光束維持曲線を模式的に描いたもので、曲線の形状（すなわち、時間経過に伴う光束維持率の変化の状態）は、使用するＬＥＤモジュールやその他の光源（蛍光灯、白熱灯）により変わるものである。また、横軸の時間は対数目盛に限定されるものではなく、等目盛でもよい。また、３つ以上の異なる点灯状態で点灯可能な場合には、それぞれの点灯状態に対応する光束維持曲線を用いればよい。
【００５１】
上述したように、複数の点灯状態でＬＥＤモジュール３０を点灯することができる場合に、それぞれの点灯状態に応じた光束維持特性（光束維持曲線）を用いることにより、ＬＥＤモジュール３０の点灯状態が変化する場合でも、ＬＥＤモジュール３０の交換時期を適切に判断することができる。すなわち、交換時期に達していないときにＬＥＤモジュール３０を誤って交換することを防止することができるとともに、交換時期を過ぎて所望の明るさを維持することができない状態で使用し続けることを防止することができる。また、ＬＥＤモジュール３０の光束、光量や照度などを計測するための光学センサが不要であるので、コストを低減することができるとともに、指向性の高いＬＥＤなどを用いる場合でも発光面を光学センサで遮ってしまうという問題も生じない。
【００５２】
また、光束維持率算出部２６は、点灯状態が変更される場合、変更前に算出された変更直前の光束維持率を、変更後の点灯状態での光束維持率の初期値とする。例えば、１００％点灯状態で点灯していたＬＥＤモジュール３０を省エネ点灯状態に変更する場合、点灯状態変更前の１００％点灯状態に対応する光束維持特性により算出した変更直前の光束維持率を、省エネ点灯状態での光束維持率を算出する際の初期値とする。これにより、点灯状態が変化する場合に、変化直前の点灯状態での光束維持率を変更直後の点灯状態での光束維持率とすることができるので、点灯状態に関わらず常に正確な光束維持率を求めることができる。特に、点灯状態が頻繁に変化する場合でも、その変化に追従して正確な光束維持率を求めることができるので、ＬＥＤモジュール３０の交換時期を精度良く判定することが可能となる。
【００５３】
また、光束維持率算出部２６は、所定時間（例えば、１０分、１時間、３時間など）が経過した場合（所定時間経過の都度でもよい）、光束維持率を算出する。これにより、光束維持率算出のための処理労力を低減しつつＬＥＤモジュール３０の交換時期を求めることができる。
【００５４】
また、人感センサなどにより点灯状態が変化する場合でも、点灯状態に関わらず光束維持率を正確に求めることができる。
【００５５】
次に本発明に係る照明装置１００の動作について説明する。図３及び図４は制御用マイクロコンピュータ２２の処理手順を示すフローチャートである。なお、図３、図４の例では、点灯状態は２つであるとして説明するが、点灯状態は２つに限定されるものではなく、１つでもよく、あるいは、３つ以上でもよい。制御用マイクロコンピュータ２２は、点灯状態を判定し（Ｓ１１）、点灯状態が１００％点灯状態である場合（Ｓ１１で１００％点灯状態）、点灯時間を計測する（Ｓ１２）。
【００５６】
制御用マイクロコンピュータ２２は、１００％点灯状態の光束維持特性（光束維持曲線）を参照し（Ｓ１３）、光束維持率を算出する（Ｓ１４）。光束維持率の算出は、例えば、所定時間（例えば、１０分、１時間、３時間など）経過の都度、行うことができる。
【００５７】
制御用マイクロコンピュータ２２は、算出した光束維持率が所定の閾値（例えば、７０％）より小さいか否かを判定し（Ｓ１５）、光束維持率が閾値より小さい場合（Ｓ１５でＹＥＳ）、光源（ＬＥＤモジュール３０）の交換時期である旨を出力し（Ｓ１６）、処理を終了する。
【００５８】
光束維持率が閾値より小さくない場合（Ｓ１５でＮＯ）、制御用マイクロコンピュータ２２は、点灯状態の切替えの有無を判定し（Ｓ１７）、切替えがない場合（Ｓ１７でＮＯ）、ステップＳ１２以降の処理を続け、切替えがある場合（Ｓ１７でＹＥＳ）、算出した光束維持率を記憶し（Ｓ１８）、ステップＳ１１以降の処理を続ける。なお、記憶した光束維持率は、切替え後の光束維持率の算出の初期値となる。
【００５９】
点灯状態が省エネ点灯状態である場合（Ｓ１１で省エネ点灯状態）、制御用マイクロコンピュータ２２は、点灯時間を計測する（Ｓ１９）。
【００６０】
制御用マイクロコンピュータ２２は、省エネ点灯状態の光束維持特性（光束維持曲線）を参照し（Ｓ２０）、光束維持率を算出する（Ｓ２１）。光束維持率の算出は、例えば、所定時間（例えば、１０分、１時間、３時間など）経過の都度、行うことができる。
【００６１】
制御用マイクロコンピュータ２２は、算出した光束維持率が所定の閾値（例えば、７０％）より小さいか否かを判定し（Ｓ２２）、光束維持率が閾値より小さい場合（Ｓ２２でＹＥＳ）、光源（ＬＥＤモジュール３０）の交換時期である旨を出力し（Ｓ２３）、処理を終了する。
【００６２】
光束維持率が閾値より小さくない場合（Ｓ２２でＮＯ）、制御用マイクロコンピュータ２２は、点灯状態の切替えの有無を判定し（Ｓ２４）、切替えがない場合（Ｓ２４でＮＯ）、ステップＳ１９以降の処理を続け、切替えがある場合（Ｓ２４でＹＥＳ）、算出した光束維持率を記憶し（Ｓ２５）、ステップＳ１１以降の処理を続ける。なお、記憶した光束維持率は、切替え後の光束維持率の算出の初期値となる。
【００６３】
なお、図３、図４の例では、点灯状態が１００％点灯状態であるか省エネ点灯状態であるかに応じて光束維持率の算出を切り替えているが、これに限定されるものではなく、省エネ点灯状態のうち、調光率の異なる状態間（例えば、３０％と５０％など）で切り替える場合にも同様の処理を行うことができる。
【００６４】
以上説明したように、本発明によれば、光源の交換時期を適切に判断することができる。特に、調光機能を備える照明装置のように異なる点灯状態で光源を点灯する場合でも、光源の交換時期を正確に判定して、利用者に光源の交換時期を知らせることができる。
【００６５】
上述の実施の形態では、光源としてＬＥＤモジュールを用いる構成について説明したが、本発明は、ＬＥＤモジュールに限定されるものではなく、有機ＥＬ、蛍光灯や白熱灯など他の光源を用いる場合にも適用することができる。また、本発明は、照明装置に限定されるものではなく、光源を用いる他の光源装置や表示装置にも適用することができる。
【００６６】
上述の実施の形態において、光束維持曲線を用いた光束維持率の算出は、例えば、光束維持曲線を表す式を演算回路等で実現することもでき、あるいは、光束維持曲線上の点を表す値を予め記憶しておき、光束維持曲線上の値以外の値は補間処理などを用いて算出する構成でもよい。
【符号の説明】
【００６７】
２２  制御用マイクロコンピュータ（計時手段）
２３  ＰＷＭ制御回路（出力手段）
２４  使用状態検出回路（取得手段）
２５  メモリ（記憶手段）
２６  光束維持率算出部（算出手段）
３０  ＬＥＤモジュール（光源部）
【図１】
2010251115.tif 000003
【図２】
2010251115.tif 000004
【図３】
2010251115.tif 000005
【図４】
2010251115.tif 000006